(57)【特許請求の範囲】
【請求項１】
各々が放射線に対する感度を有する記録用要素を備え、且つ各々が長い物体の長さより短い長さを有する複数のカセットを、長い物体の実質的な全長を１回の暴露段階で複数のカセットに記録することができるように交番配置に配列する段階、
複数のカセットに長い物体の放射線像を、且つ放射線減衰用物質の格子の放射線像に、同時に暴露させる段階、
該長い物体のデジタル部分像及びその上に置かれた放射線減衰用物質の格子を生じるようにカセットにより輸送される記録用要素の各々に貯蔵された部分的な画像を読み出す段階、
放射線減衰用物質の格子の部分像を再構築することによって長い物体の画像を形成するようにデジタル部分像を再構築する段階、
を有する、長い物体の放射線像を記録する方法。
【請求項２】
各々が長い物体の長さより短い長さを有し且つ各々が放射線に対する感度を有する記録用要素を輸送する複数のカセット（４）、
交番配列の長さが前記長い物体の長さと少なくも等しいように前記複数のカセットを交番配列に保持するようにされた支持手段（３，６，８）、
放射線源と前記カセットとの間に置かれた放射線減衰用格子、
を具備し、且つ前記格子がカセットの交番配列の長さと少なくとも等しい長さを有する、長い物体の放射線像の記録用組立体。
【発明の詳細な説明】
【０００１】
【産業上の利用分野】
本発明は、フルレッグ（full-leg、脚全体）又はフルスパイン（full-spine、脊柱全体）のような長い物体の放射像像を記録するための方法及び組立体に関する。
【０００２】
【従来技術及びその課題】
平面投影放射線写真検査において、最大の画像化用カセットでも１個では適合できない大きい物体部分を画像化するという目標が存在する。
【０００３】
かかる画像化の需要は、いわゆるフルレッグ又はフルスパイン検査において生ずる。治療用の指標では、診断を可能とするため又は数量化するために、例えばフルレッグ又はフルスパインを一度に検査することが要求される。
【０００４】
通常のフィルム−スクリーン式の放射線写真と同様に、放射線像が一時的に光刺激可能な燐光スクリーンに蓄積される蓄積燐光像の獲得においては、かかる検査は、大きいカセットを複数の蓄積性燐光スクリーンで満たし、より大きくより長いカセットを完全に覆うように一般に互いに重ねることにより達成される（重ねシート実施例と呼ばれる実施例）。
【０００５】
かかる長いカセットは、フルレッグ検査については典型的に３５×１０５cm、フルスパイン検査については３０×９０cmである。重ねシート実施例においては、最大の１個のフィルムカセットは３５×４３cmであり、従って脊柱又は脚の画像化には不適である。典型的に、４個のスクリーンが使用される。例えば、４個の（２４×３０cm）のスクリーンが３０×９０cmのカセット内に配列され、明らかに重なった形状となる。このため、重なり部分に相当する画像の部分は暴露が少ないであろう。
【０００６】
或いは、画像が重なっていない状況もまた生ずる可能性があり、例えば、３５×１０５cmのカセット内に３個の３５×３５cmの画像化用スクリーンがある状態では、組になって接触しているが重なっていない３個の像ができる。
【０００７】
暴露中に、Ｘ線ビームの経路内に固定された格子が同時に存在し、長い物体の放射線像に重なった縦横の平行な細い線の格子の像を作る。画像の線は、前段の像の線と後段の像の線とが必ず連続的かつ継ぎ目なしに伸びている筈であるため、物体の本来の形状の再構築に当たって放射線技師又は操作者を助ける。
【０００８】
欧州特願ＥＰ−Ａ−９７  ２００８５７号において、部分的に重なって配置された一連の記録用要素の使用による長い物体の放射線像の獲得方法が明らかにされる。
【０００９】
この特許出願は、更に、これら記録用要素の各から読み出された画像を使って長い物体の１個の「綴じ合わせられた」画像を得る方法に関する。
【００１０】
この画像獲得方法は長いカセットの使用を考えたものであり、このカセットには、刺激可能な燐光スクリーンの連鎖がカセットを完全に覆うように重なった方法で配置される。
【００１１】
長いカセットは暴露後に開かれ、カセットから個々のスクリーンが取り出され、そしてその各は個々のカセットの寸法に相当している小さいカセット内に置かれる。次いで、カセットは順に専用の読出し装置に送られ、そこでカセットが再び開かれ、カセットからスクリーンが取り出され、そして刺激用放射線の手段により走査される。刺激されて放射され画像状に変調された光が検出され、長い物体の部分のデジタル画像表現に変換される。次に、各カセットから読み出されたデジタル画像表現が再結合されて、長い物体全体の像を形成する。
【００１２】
この取り扱い方法は幾つかの欠点を持つ。
【００１３】
第１に、個々のスクリーンを長いカセットからこれらに対応している個々の通常サイズのカセットに移すときに、スクリーンに当たる周囲光がこれを刺激し、このためその内容が（少なくも部分的に）消去される可能性があるので、暗室が必要である。
【００１４】
第２に、スクリーンを扱う操作者が、例えばこれらを引っ掻くことによりこれらに偶発的に損傷を与えることがあり得る。
【００１５】
第３に、追加の作業及び撮り直しの危険の可能性の増加のため、診断のための総時間が長くなることがあり得る。
【００１６】
特願ＥＰ−Ａ−９７  ２００８５７号は、更に、各が長い情景のある部分を貯蔵し重なっている記録用要素の各より読み出された部分的画像から長い物体の像を再構築する方法を明らかにする。前述の特願において遭遇する歪は、各サブ画像の前段及び後段のサブ画像に関する移動、重なり及び回転に限定される。上の特許出願において明らかにされた方法は、次の２個の基本的なアルゴリズムに依存する。即ち、（１）周期的な格子の検知とモデル化、及び（２）重なっている画像部分の相互相関である。画像を互いに整列させ綴じ合わせることがきるために周期的な格子が重要である。格子は、長いカセット上に物理的に置かれその全長を連続的に覆う。従って、得られる再構築された画像構成には、格子も連続的にある筈である。
【００１７】
【発明の目的】
長い物体の放射線像を記録する方法であって先行技術の欠点を示さない方法を提供することが本発明の目的である。
【００１８】
各が長い物体の長さより小さい長さを有する光刺激可能な複数の燐光スクリーンに長い物体の放射線像を記録するための組立体であって、先行技術の欠点を克服する組立体を提供することが本発明の別な目的である。
【００１９】
本発明の更なる目的は、以下の詳細な説明より明らかとなるであろう。
【００２０】
【課題を解決するための手段】
前述の目的は、請求項１に明らかにされた方法により、及び請求項２に明らかにされた組立体により具体化される。
【００２１】
先行技術の欠点は、大きいサイズのカセットにおけるスクリーンの組立体に代わって普通サイズのカセットの組立体を使うことにより克服される。
【００２２】
一実施例においては、放射線に感ずる記録用要素は光刺激可能な燐光スクリーンである。フィルムと増刊スクリーンの組合せのような別の実施例も想定することができる。
【００２３】
カセットの種々の配列が可能であり、以下説明されるであろう。
【００２４】
長い物体の全画像を正確に再構築できるようにするために、個別カセットの各の中の放射線感度のある（放射線減衰）要素上に基準マークのパターンが同様に記録される。
【００２５】
幾種類かの基準マークが可能である。しかし、互い違いのカセット配列の全長を覆う放射線の感度のある材料で作られた格子が好ましい。
【００２６】
暴露中、格子はＸ線ビームの経路内に置かれ、長い物体の放射線像に重ねられた水平方向及び垂直方向の細い平行線のラスター像を作る。像の上の線は、前後段の像の線と連続的かつ継ぎ目なしに伸びなければならない。従って、格子の像は、更に説明されるであろうように、像の再構築に当たって放射線医を案内することができる。
【００２７】
本発明の組立体におけるカセットが無視できない厚さを有することと組み合わせられた問題点は、かかる格子の像の手段により解決される。
【００２８】
本発明により、個々のスクリーンを暗室状態内で扱う必要が無くなったため、先行技術の欠点が克服され、更に、スクリーンはカセットから取り出されないため、スクリーンの不慮の破損又は塵による汚染の危険が無くされる。
【００２９】
【実施例】
本発明の更なる利点及び実施例が、図面の手段により図解された以下の詳細な説明より明らかになるであろう。
【００３０】
本発明は、その好ましい実施例に関して説明されるが、本発明をこれらの実施例に限定することを意図したものでないことが理解されるであろう。
【００３１】
本発明は、例えば患者の脊椎全体のＸ線像を複数の光刺激可能なスクリーン上に記録する実施例の手段により説明される。これらスクリーンの各に、脊椎の像の部分が記録される。
【００３２】
各スクリーンは、個々のスクリーンの寸法に相当する寸法を持った普通寸法のカセット内で輸送される。
【００３３】
スクリーンは互い違いの配列、例えば、カセットの組立体の長手方向寸法が少なくも長い物体の長手方向寸法（長さ）と同じ大きさになるように部分的に重なっている互い違いの配列で支持される。
【００３４】
この方法で、長い物体のＸ線像を、カセットの組立体内の記録用要素上に１回の暴露で記録することができる。
【００３５】
図１、２、３は、各カセットが記録用要素を保持している複数のカセットの組立体の種々の形状を示す。これらの図面は、かかる組立体を保持するための機械的な構成も示す。
【００３６】
組立体は強固な支持体３を備える。各カセットが前段及び／又は後段のカセットと部分的に重なるように数個のカセット４を支持体３に取り付け、又は挿入することができる。
【００３７】
組立体は、支持体のＸ線管の側に全面パネル６を備えることができる。かかる全面パネルは、濃度減衰用の（長方形）格子及び／又は散乱防止用の格子を保持できる。これら両者は垂直線７により図式的に示される。
【００３８】
全面パネル６の正面側（番号５で図式的に示されるＸ線管に向けられた側）は、いかなる放射線も吸収しないようにＸ線に対して透明な材料で作られる。
【００３９】
患者の放射線像を記録するために使用される標準のウオール・バッキィ（wall bucky）Ｘ線記録装置１がこれらの図面に示される。
【００４０】
患者の垂直な姿勢用として、バッキィに強固な支持体３が垂直位置で取り付けられる。支持体は、フック８によりウオール・バッキィＸ線記録装置に懸けることができる。
【００４１】
或いは、水平の姿勢用として、カセットを保持している支持体を水平に（照射テーブル上又は床の上に）置くことができる。
【００４２】
支持体へのカセットの正確な配置が、以下、詳細に明らかにされる。
【００４３】
互い違いではない配列にされた記録用要素のカセットを使用した結果も説明される。
【００４４】
像を記録するために１個の長いカセットを使用する特願ＥＰ−Ａ−９７  ２００８５７号に開示された状況と比較し、このカセットは、光刺激可能な燐光スクリーン又はスクリーンとフィルムとの組合せのような記録用要素を部分的に重なっている状態で複数備え、そして個々の記録用要素の厚さは小さくて無視できる。この発明の個々のカセットの厚さは、減衰用の（長方形）格子の像の変形に関しては無視できない。
【００４５】
減衰用長方形格子のこの像は、各が長い物体の像の一部を有する個々の記録用要素から読み出された部分像から長い物体の像全体を再構築するための案内として使用される。
【００４６】
記録用要素は同一面上にないため、減衰用格子の長方形の投影は各スクリーンについて異なり、３次元の投影幾何方程式により支配される。
【００４７】
説明の目的で、垂直方向及び水平方向のｘ軸及びｙ軸の点及び画像面に直角方向のｚ軸点（Ｘ線の入射経路と平行）のような世界座標系（ｘ，ｙ，ｚ）が定義される。
【００４８】
本発明においては、３種の作業可能な配置が考えられる。その他の組合せを発明の目標及び範囲から離れることなく考えることができる。
【００４９】
図１に示された第１の配置においては、記録用要素は減衰用格子の面と完全に平行であり、そして減衰用格子の面までの距離は、連続した記録用要素間で交互に入れ替わる。記録用要素と減衰用格子との間の距離が大きくなると投影された格子の長方形の大きさは大きくなるであろう。しかし、投影歪はない（投影された格子の線は平行のままである）。
【００５０】
長い物体の全部を覆うために、重なって配置された複数のカセットが使用される。
【００５１】
この状況が図１ｂ、２ｂ、及び３ｂに示される。サブ画像（サブ画像又は部分画像は、個々のカセット内の記録用要素上に記録された長い物体の部分の像である）の隠された境界は破線で示され、サブ画像の見えている境界は連続線で示される。
【００５２】
奇数番の記録用要素と偶数番の記録用要素との間でズーム係数が変わるため、この状況は交番（alternating）重なり配置と呼ばれる。
【００５３】
図２に示された第２の配置は、階段状に重なっている記録用要素を示す。この状況は、前のものとは次の点が異なる。即ち、最後のサブ画像を除いて、各サブ画像はその下方部分が次段の記録用要素により減衰させられるであろう。従って、重なった部分は画像構成過程を通じて一様な方法で処理することができる。しかし、記録用要素の面と減衰用格子の面との間の距離が段階的に増加することにより、ズーム係数が各記録用要素について異なる。即ち、最も遠い記録用要素により獲得されるサブ画像は、比較的大きいダウンズーミングが必要であり、また反対に、最も近い記録用要素により獲得されるサブ画像は、比較的大きいアップズーミングが必要である。この事例は階段状重なり配置と呼ばれる。
【００５４】
図３に示された第３の配置は、前の２者の欠点間の妥協である。これは僅かに傾けられた記録用要素の連鎖であり、従って得られた配置は最小かつ完全に垂直方向のハウジングに適合し、傾きの角度は記録用要素の厚さと長さとの関数として定義される。この配置は、各記録用要素について均一な重なり形状及び同様な投影歪形状の両者を特徴とする。しかし、投影歪形状は単純なズーミング（拡大又は縮小）とは異なる。垂直方向の線間距離は、頂部から底部に行くに従って、傾き角度が正であるは負であるかに応じて線形に増加し又は減少するズーミングを受ける。しかし、この投影歪は総ての画像化スクリーンについて等しい。図３に示された配列の場合は、線間距離は、図４に図式化されたように上から下に減少する。この獲得の様相は斜め重なり配置と呼ばれる。
【００５５】
記録用要素は、与えられた総ての場合について、取外し可能な機械的構成体に取り付けられ、この構成体に減衰用格子及び散乱防止用格子を固定することができ、水平方向の姿勢用として、全体を照射テーブル上に又は床の上に置くことができる。対応する水平方向配置が図１ｃ、図２ｃ、図３ｃに示される。
【００５６】
図１、２、３に示された総ての配置では、カセットが重なっている。カセットが接触し又は分離して重ならない配置が同様に考えられる。これらは、接触配置の場合でも、記録用要素の領域が診断領域を完全に含むことを記録用要素のハウジングの厚さが妨げるので、最適の解答ではない。
【００５７】
減衰用格子に関するスクリーンの３次元的物理的配置により生ずる３次元投影形状の歪に加えて、特願ＥＰ−Ａ−９７  ２００８５７号と組み合った歪が等しく存在したままである。
【００５８】
明確にするために、これら古典的な歪を以下のようにまとめる。
−次段又は前段のサブ画像に関するあるサブ画像の移動（ｙ軸方向の位置の狂い）、
−次段又は前段のサブ画像に関するあるサブ画像の（ｘ軸における）重なり、
−次段又は前段のサブ画像に関するあるサブ画像の格子の回転、
この回転の角度は、（１）減衰用格子の線が完全に水平方向及び垂直方向に置かれたとしたときの、完全に水平方向及び垂直方向の軸に関する記録用要素の境界の不完全な整列、（２）記録用要素のデジタル化装置における不完全な直線方向送りの組み合わせられた結果である。
【００５９】
図１、２、３に示された前述の記録過程を使用するためには、前記投影形状の歪だけでなく特願ＥＰ−Ａ−９７  ２００８５７号による古典的な歪も補償する適切な画像処理方法が必要である。
【００６０】
図４は、サブ画像の一つに記録された格子の座標軸及びキー量の定義を有する図式的表現を示す。像は、記録用要素の斜め重なり配置の方法により獲得され、従って垂直方向に走っている格子線の線間距離は上から下に狭くなっている。水平方向に走っている格子線の線間距離は一定のままである。しかし、以下明らかにされるアルゴニズムは完全な垂直方向及び完全な水平方向の格子線の変形を同時に処理することができる。座標系の原点は上左のコーナーであり、座標ｍは異なった縦列に沿って（水平方向に）左から右に横列を内側に走り、座標ｎは異なった横列に沿って（垂直方向に）上から下に走る。実線は画像上の減衰用格子の印影を表す。一般に、格子線により形成されたラスターは、水平軸に関して角度αh で傾けることができる。この回転は、カセットの物理的境界に関する記録用要素（例えば画像スクリーン）の回転された位置により、又はデジタル化装置における不完全な直線方向送りにより、或いは両者による。明らかに、生じた回転角度αh は小さい。
【００６１】
演算の基礎は、サブ画像 Sz,z=1..Z の各における暴露の少ない画素の長方形パターンを作るコントラスト用格子の検出と特性付けとである。Z は綴じ合わせるべき画像の総数であり、これは典型的に３または４である。しかし、この方法はサブ画像をいかなる実際の数にも一般化する。サブ画像 Sz において格子により形成されたパターンは、（１）それぞれ水平方向、垂直方向における格子線間の周期 Pzh 及び Pzv、（２）本発明により明らかにされた水平方向及び垂直方向の個々の格子線の方程式、及び（３）それぞれ水平方向画像境界及び垂直方向画像境界に関する水平方向及び垂直方向の格子線のオフセット Ozh 及び Ozv の知識により完全に特性付けされる。サブ画像における格子の再構築のため、及び画像の綴じ合わせによる長い物体部分の構成された全体像の形成のために、これら要因の組の知識が必要かつ十分な条件である。
【００６２】
結果として、(i,j)、(m,n) 又は（x,y）が像の座標を示し、(M,N）が像の寸法を示す。総てのサブ画像が等しい寸法を有するという一般性を失うことがないと仮定する。
【００６３】
図５は、演算の一般的な流れを示し、その諸段階が更に説明される。
格子線行列の抽出
この段階は、一体化された線の輪郭のブロックにおける格子線の位置を抽出するために、特願ＥＰ−Ａ−９７  ２００８５７号に開示されたような低レベルの演算の総てを含む。この段階の出力は、図４において（o）及び（x）の位置を示している m 座標及び n 座標の系列である。
格子線の適合
特願ＥＰ−Ａ−９７  ２００８５７号に開示された方法に結果として２個の格子行列が決定される。即ち、水平方向については gh、垂直方向については gv であり、これらは、同じ物理的格子線のそれぞれ横列及び縦列の位置に相当する縦列 gh 及び横列 gv に、０でない合成配列が入るような方法で検出された総ての格子線の指標を蓄積している。それぞれ水平方向及び垂直方向におけるブロックの数を Qh 及び Qv で示し、更にそれぞれ系列 Gh 及び Gv において検知され
【００６４】
【外１】
0004526134.tif 000002
に入力され、直線の方程式により各格子線をモデル化する。この目的で、格子行列 gh 及び gv の横座標及び縦座標は、一般にティー・パヴリディスのアルゴリズム・フォア・グラフィックス・アンド・イメージ・プロセッシング（Algorithms for Graphics and Image Processing)、コンピューター・サイエンス社、１９８２年、ページ２８１−２９２、ポリゴナル・アプロキシメーションズ（Polygonal Approximations) のような従来技術で知られた線形回帰をうける。各線形
【００６５】
【外２】
0004526134.tif 000003
方向向きの格子線については、適合のために利用し得る Qv 個のデータ点がある。水平方向向き及び垂直方向向きの合成適合線の方程式は次の通りである。
【００６６】
【数１】
0004526134.tif 000004
ここに、係数α及びβは適合線の傾斜及び軸方向オフセットである。投影形状の歪の性質に依存して、その他の適宜のパラメーターで表し得る曲線が格子線をモデル化できることは明らかである。しかし、ピンホールＸ線照射及び格子面に関する記録用要素の平面形状の歪のため、直線は投影下で直線のままであり、従って、直線は格子線のデータ点の効果的なモデルに適合する。
格子の校正及び変形の測定
各サブ画像の格子線の線の方程式が、綴じ合わせられた像における格子線の最終位置を決定するための入力として使われる。水平方向に走っている各格子線は完全に水平方向にデスキュー（de-skew）され、その位置がこの段階で決定される。同様に、垂直方向に走っている各格子線は完全に垂直方向にデスキューされ、その位置がこの段階で決定される。
【００６７】
更に、サブ画像内で水平方向及び垂直方向に走っている総ての格子線について、線間距離が周期的距離と等しくされる。周期的な距離は、「格子線行列抽出」段階において誘導される。
【００６８】
格子校正段階の結果は次のとおりである。理想的な長方形格子の先に列挙した総ての変形は、「格子線適合」において与えられたスキュー（skew）線の方程式の組み合わせられた組において獲得される。あるサブ画像の他のサブ画像に関する移動、あるサブ画像の他のサブ画像に関する回転、異なったスクリーン減衰用格子距離により生ずるズーム効果による線間距離の変化、及び非平行スクリーン格子形状による生ずる投影形状歪を含んだ変形が修正される。
【００６９】
より特別には、量 Pv は Z 個の入力サブ画像の組の垂直方向に走っている格子線間の総ての周期的ベクトルの最小値を示す。
【００７０】
Pv=min(Pzv)      z=1..Z
これは、垂直方向に走っている格子線間の距離を正規化するために使用されるであろう。正方形の物理的格子に対しては、Pv は水平方向に走っている格子線間の距離の正規化に使用することができるであろう。従って完全な正方形の格子がワーピング過程が完了したとき再構築されるであろう。長方形格子については、同様な量 Ph が Z 個の入力サブ画像の組の水平方向に走っている格子線間の総ての周期的ベクトルの最小値を示す。
【００７１】
Ph=min(Pzh)      z=1..Z
周期的ベクトルの組の最小値を取ることにより、ワープされたサブ画像の各はオリジナルのサブ画像の寸法に確実に適合し、従って診断情報は失われない。
【００７２】
【外３】
0004526134.tif 000005
た格子線の残りの組の位置は次のように決定される。
【００７３】
【数２】
0004526134.tif 000006
これらの位置は総てのサブ画像 Sz,z=1..Z に対して等しい。
【００７４】
【外４】
0004526134.tif 000007
た格子線の残りの組の位置は次のように決定される。
【００７５】
【数３】
0004526134.tif 000008
これらの位置は、総てのサブ画像 Sz,z=1..Z に対して等しい。
【００７６】
水平方向及び垂直方向向きの格子線のスキューの値は、総てのサブ画像 Sz,z=1..Z に対して、次式で与えられる。
【００７７】
【数４】
0004526134.tif 000009
総てのサブ画像 Sz,z=1..Z に対して、２個の連続した格子線の間の総ての位置に対するスキューの値
【００７８】
【数５】
0004526134.tif 000010
を線形補間することにより、水平方向及び垂直方向のデスキュー演算のための２個の２次元ワーピング行列が定められる。
場所ごとの線形の分離可能なデスキューによるサブ画像のワーピング
このモデルは、（１）垂直方向で適合された各格子線が完全な垂直方向目標線にデスキューされ、総ての垂直方向目標線の組が等間隔にされ、（２）水平方向で適合された各格子線が完全な水平方向目標線にデスキューされ、総ての水平方向目標線の組が等間隔にされ、（３）垂直方向目標線（及び水平方向目標線）間の各画素に加えられたスキューが、左（上）の適合線及び右（下）の適合線と組み合わせられたスキューの線形補間により得られるように、サブ画像を変形するであろう。このため、局部的な変位は位置依存性でありかつそれぞれの位置に対する線形デスキューにより行われ、スキュー方向に沿ってそれぞれの場所ごとに変動するスキューの値及びそれらの制御点は、格子適合線と組み合わせられたスキューの値により定められるため、演算全体が画像ワーピングと呼ばれる。
【００７９】
スキューの値は浮動小数点値であるため、個別格子における画像の再サンプリングの問題にアドレスする必要がある。補間は、サンプル間にある位置における関数の値を決定する方法である。補間は、データサンプルを平滑化することによりサンプリング過程で失われた信号を補間関数で再構成できるので、像の鮮鋭度をいかに最大に保持し得るかが重要な論点である。通過帯域及び停止帯域における補間の性能、数値の正確度及び補間アルゴリズムの計算費用が補間の中核である。補間アルゴリズムの選択に加えて、前述のデスキュー演算における補間過程をまとめるための計算のスキームが考案された。サンプリング理論によりシンク関数（sinc function）が理想的な補間の核であることが確証された。この補間フィルターは正確であるが、これはゆっくりと収束する無限和により定められるＩＩＲフィルターであるため実際的でない。４点以上の局所的広がりを有する最適に次ぐ補間核が補間用３次Ｂスプライン（interpolating cubic B-spline)により提供される。補間されたデータ値は、水平方向デスキュー演算について次のように得られた。
【００８０】
【数６】
0004526134.tif 000011
ここに、３次Ｂスプライン補間核 h は、パーゼンウインドウ（Parzen window）と呼ばれる次の場所ごとの３次多項式により与えられる。
【００８１】
【数７】
0004526134.tif 000012
ここに、Δh(m,n) は、上に定められた水平方向２次元スキュー行列である。行列 Tzh(m,n）は、N 個の式の以下の組みを解くことにより得られ、各横列 n についての１組が３重対角行列
【００８２】
【数８】
0004526134.tif 000013
により定められる。
【００８３】
デスキュー演算は水平方向及び垂直方向で独立して実行される。水平方向デス
【００８４】
【外５】
0004526134.tif 000014
れた像は、変形された格子をそのオリジナルの形に幾何学的に修正し、即ち、相互に直交する等間隔の完全な直線及び平行線の２組として示すであろう。更に、第１の垂直方向格子線のオフセット（画像境界までの距離）は総てのサブ画像について等しいので、演算は、画像組成の垂直方向向きのデスキューされた格子線の完全な連続性（共線性）を確保するであろう。同様に、水平方向の修正された格子線の周期性の完全な連続性が、特願ＥＰ−Ａ−９７  ２００８５７号に明らかにされた重なり計算及び決定法において課せられた制限により保証される。
【００８５】
その他の画像内挿のスキームが、例えば、ジー・ウオルバーグのディジタル・イメージ・ワーピング（Digital Image Warping）、ＩＥＥＥコンピューター／ソシエティ・プレス・モノグラフ、１９９０年において与えられたような先行技術に基づいて考案される。
重なり画像の相関性
この段階は、この過程への入力としてワープされたサブ画像及び格子モデルパラメーターを使用して、特願ＥＰ−Ａ−９７  ２００８５７号に明らかにされたように進行する。
画像の綴じ合わせ
この段階は、この過程への入力としてワープされたサブ画像及び重なった値を使用して、特願ＥＰ−Ａ−９７  ２００８５７号に明らかにされたように進行する。
【００８６】
本発明の実施態様は以下のとおりである。
【００８７】
１．長い物体の放射線像を記録する方法であって、
−各が放射線に感度を有する記録用要素を備えかつ各が長い物体の長さより小さい長さを有する複数のカセットを、長い物体の実質的な全長を１回の暴露段階で複数のカセットに記録することができるように交番配置に配列し、
−複数のカセットを長い物体の放射線像に同時に暴露させ、
−カセットにより輸送される記録用要素の各に貯蔵された部分的な画像を読み出し、
−長い物体の画像を形成するように部分的な画像を再組合せする
諸段階を含んだ前記方法。
【００８８】
２．前記交番配置は、カセットが少なくも部分的に重なっている配置である請求項１による方法。
【００８９】
３．前記交番配置されたカセット内の記録用要素上に、長い物体の前記放射線像と同時に基準マークのパターンが記録される請求項１による方法。
【００９０】
４．前記基準マークのパターンが放射線減衰用物質の格子である請求項３による方法。
【００９１】
５．前記記録用要素が光刺激可能な燐光スクリーンである請求項１による方法。
【００９２】
６．長い物体の放射線像の記録用組立体であって、
−各が長い物体の長さより小さい長さを有しかつ各が放射線に感度を有する記録用要素を輸送する複数のカセット（４）、
−交番配列の長さが前記長い物体の長さと少なくも等しいように前記複数のカセットを交番配列に保持するようにされた支持手段（３，６，８）
を具備した前記組立体。
７．前記記録用要素が光刺激可能な燐光スクリーンである請求項６による組立体。
【００９３】
８．放射線源と前記カセットとの間に置かれた放射線減衰用格子を備え、かつ前記格子はカセットの交番配列の長さと少なくも等しい長さを有する請求項６による組立体。
【図面の簡単な説明】
【図１】交互に重なって配置された複数の通常寸法のカセットを使用して長い物体の像を獲得するための機械的な組立を示す。
【図２】階段状に重なって配置された複数の通常寸法のカセットの積重ねを使用して長い物体の像を獲得するための機械的な組立を示す。
【図３】斜めに重なって配置された複数の通常寸法のカセットの積重ねを使用して長い物体の像を獲得するための機械的な組立を示す。
【図４】斜め重なり配置方法により得られた獲得サブ画像の一つにおける格子印影（実線）を示す。通常サイズのカセットにおけるスクリーンの回転のため、又は前記整列の誤りの組合せのために、格子は、画像の境界に関して回転させられる可能性がある。破線（−−−）は輪郭計算のための長方形の垂直方向及び水平方向ブロックへに分割を示し、点線（・・・）は対応ブロックの中心線を示す。丸印（ｏ）は水平方向輪郭における垂直方向の格子線の位置を示し、クロス印（ｘ）は、垂直方向輪郭における水平方向の格子線の位置を示す。
【図５】アルゴリズムの種々の段階を示すブロック図である。
【符号の説明】
３  支持手段
４  カセット
６  支持手段
８  支持手段
【図１】
0004526134.tif 000015
【図２】
0004526134.tif 000016
【図３】
0004526134.tif 000017
【図４】
0004526134.tif 000018
【図５】
0004526134.tif 000019